(57)【要約】【課題】収納装置の外枠に対する棚本体の嵌め込み方向を浴室側と脱衣室側の２方向から選択可能として、間仕切り壁の収納機能を向上させること。【解決手段】隣り合う浴室Ａと脱衣室Ｂとの間を仕切る間仕切り壁１に、該２室Ａ，Ｂの双方に開放される２室開放形の外枠２Ａと、外枠２Ａの内部に嵌め込まれて２室Ａ，Ｂのうちいずれか一室側のみに開放される一室開放形の棚本体２Ｂとからなる収納棚２が取り付けられ、外枠２Ａ側に棚本体２Ｂの嵌め込み方向Ｃに沿って水平レール３を設置し、棚本体２Ｂ側に水平レール３に着脱可能に支持されるガイドピン４を突設し、外枠２Ａに対する棚本体２Ｂの嵌め込み方向Ｃを浴室Ａ側と脱衣室Ｂ側の２方向から選択できるように水平レール３の両端部３ａ，３ｂにそれぞれガイドピン４の導入部５を設けた収納装置５０である。【選択図】図１
2007224621.tif 000002
【特許請求の範囲】
【請求項１】
隣り合う浴室と脱衣室との間を仕切る間仕切り壁に、上記２室の双方に開放される２室開放形の外枠と、外枠の内部に嵌め込まれて上記２室のうちいずれか一室側のみに開放される一室開放形の棚本体とからなる収納棚が取り付けられ、上記外枠側に棚本体の嵌め込み方向に沿って水平レールを設置し、棚本体側に上記水平レールに着脱可能に支持されるガイドピンを突設し、上記外枠に対する棚本体の嵌め込み方向を上記浴室側と脱衣室側の２方向から選択できるように上記水平レールの両端部にそれぞれガイドピンの導入部を設けたことを特徴とする間仕切り壁の収納装置。
【請求項２】
上記水平レールの複数箇所に位置決め凹所が形成され、棚本体側の各位置決め凹所と対向する位置に複数の先端丸み形状のガイドピンが突設され、各ガイドピンはガイドピンを位置決め凹所に向かってバネ付勢するスプリングを備えており、各ガイドピンがスプリングのバネ力により各位置決め凹所内にそれぞれ弾入することで棚本体が外枠に対して位置決めされることを特徴とする請求項１記載の間仕切り壁の収納装置。
【請求項３】
上記外枠と棚本体との隙間に止水パッキンが設けられ、外枠内に棚本体を嵌め込んだ状態で止水パッキンが棚本体と外枠との間で挟圧されて隙間を塞ぐようになっていることを特徴とする請求項１又は請求項２記載の間仕切り壁の収納装置。
【請求項４】
上記間仕切り壁は出入口の側方に設けられ、間仕切り壁に取り付けられる上記外枠は出入口に設けられるドア枠と隣接して配設されると共に、ドア枠の縦枠とこれと対向する外枠の縦枠材とを一体状に形成したことを特徴とする請求項１乃至請求項３のいずれかに記載の間仕切り壁の収納装置。
【発明の詳細な説明】
【技術分野】
【０００１】
本発明は、隣り合う浴室と脱衣室との間を仕切る間仕切り壁の収納装置に関するものである。
【背景技術】
【０００２】
従来より、浴室と脱衣室との間を間仕切り壁で仕切り、この間仕切り壁に浴室側に開口した収納棚を組み込んだ浴室用収納装置が一般に知られている（例えば、特許文献１参照）。
【０００３】
ところが上記特許文献１に見られる従来の収納棚は、浴室用のみに限定され、例えば、脱衣室用として機能させることができない。そのため、ユーザーの要望に応じて、脱衣室用収納装置を作成しようとすれば、間仕切り壁に別の開口部を設け、この開口部に脱衣室側から収納棚を組み付ける必要があり、このため、間仕切り壁に対する脱衣室用の収納装置の取り付けに手間とコストがかかり、ユーザーの要望に低コストで対応できないという問題がある。
【特許文献１】特開平９−１０８１４０号公報
【発明の開示】
【発明が解決しようとする課題】
【０００４】
本発明は上記の従来の問題点に鑑みて発明したものであって、収納装置の外枠に対する棚本体の嵌め込み方向を浴室側と脱衣室側の２方向から選択可能とすることにより、間仕切り壁の収納機能を向上させることができる間仕切り壁の収納装置を提供することを課題とするものである。
【課題を解決するための手段】
【０００５】
前記課題を解決するために本発明は、隣り合う浴室Ａと脱衣室Ｂとの間を仕切る間仕切り壁１に、上記２室Ａ，Ｂの双方に開放される２室開放形の外枠２Ａと、外枠２Ａの内部に嵌め込まれて上記２室Ａ，Ｂのうちいずれか一室側のみに開放される一室開放形の棚本体２Ｂとからなる収納棚２が取り付けられ、上記外枠２Ａ側に棚本体２Ｂの嵌め込み方向Ｃに沿って水平レール３を設置し、棚本体２Ｂ側に上記水平レール３に着脱可能に支持されるガイドピン４を突設し、上記外枠２Ａに対する棚本体２Ｂの嵌め込み方向Ｃを上記浴室Ａ側と脱衣室Ｂ側の２方向から選択できるように上記水平レール３の両端部３ａ，３ｂにそれぞれガイドピン４の導入部５を設けたことを特徴としている。
【０００６】
このような構成とすることで、ユーザーの希望に応じて外枠２Ａに対する棚本体２Ｂの嵌め込み方向Ｃを浴室Ａ側と脱衣室Ｂ側の２方向から選択できるので、１種類の外枠２Ａと棚本体２Ｂからなる収納棚２を共通部品にして、浴室Ａ用と脱衣室Ｂ用の両方に使用可能となる。
【０００７】
また、上記水平レール３の複数箇所に位置決め凹所６が形成され、棚本体２Ｂ側の各位置決め凹所６と対向する位置に複数の先端丸み形状のガイドピン４が突設され、各ガイドピン４はガイドピン４を位置決め凹所６に向かってバネ付勢するスプリング７を備えており、各ガイドピン４がスプリング７のバネ力により各位置決め凹所６内にそれぞれ弾入することで棚本体２Ｂが外枠２Ａに対して位置決めされるのが好ましく、この場合、ガイドピン４を水平レール３に対して容易に位置決めできるので、ビスレスで外枠２Ａに対する棚本体２Ｂの固定ができる。しかも棚本体２Ｂを手前に強く引き出すだけで、先端丸み形状のガイドピン４が位置決め凹所６から抜け出ることができるので、棚本体２Ｂを外枠２Ａから簡単に取り外すことができ、ユーザーの好みに応じて、浴室Ａ用から脱衣室Ｂ用に付け替えたり、逆に脱衣室Ｂ用から浴室Ａ用に付け替えることが容易にできる。
【０００８】
また、上記外枠２Ａと棚本体２Ｂとの隙間に止水パッキン８が設けられ、外枠２Ａ内に棚本体２Ｂを嵌め込んだ状態で止水パッキン８が棚本体２Ｂと外枠２Ａとの間で挟圧されて隙間を塞ぐようになっているのが好ましく、この場合、棚本体２Ｂを外枠２Ａ内に嵌め込むだけで、止水パッキン８が棚本体２Ｂと外枠２Ａとの隙間を完全に閉鎖するので、シール作業を別途行なう必要がなく、施工性が一層向上する。
【０００９】
また、上記間仕切り壁１は出入口９の側方に設けられ、間仕切り壁１に取り付けられる上記外枠２Ａは出入口９に設けられるドア枠１０と隣接して配設されると共に、ドア枠１０の縦枠１０ａとこれと対向する外枠２Ａの縦枠材２ａとを一体状に形成するのが好ましく、この場合、収納装置の外枠２Ａの縦枠材２ａをドア枠１０の縦枠１０ａを利用して固定可能となり、収納装置の施工性が一段と向上すると共に、外枠２Ａとドア枠１０とが外観上連続した一体感が得られるようになる。
【発明の効果】
【００１０】
本発明は、収納装置の外枠を２室開放形とし、外枠の内部に嵌め込まれる棚本体を一室開放形とし、水平レールの両端部をそれぞれガイドピンの導入部としたことにより、外枠に対する棚本体の嵌め込み方向を上記浴室側と脱衣室側の２方向から選択可能となり、これにより１種類の外枠と棚本体とからなる収納棚を共通部品にして浴室用と脱衣室用の双方に使用可能となり、間仕切り壁の収納機能が向上するものである。
【発明を実施するための最良の形態】
【００１１】
以下、本発明を添付図面に示す実施形態に基いて説明する。
【００１２】
図１は本発明の収納装置５０の分解斜視図であり、図２は水平レール３とガイドピン４の説明図である。
【００１３】
隣り合う浴室Ａと脱衣室Ｂ（以下「２室Ａ，Ｂ」と略す）の間を仕切る間仕切り壁１は、例えば木製、金属製、或いは合成樹脂製で構成されている。間仕切り壁１に収納装置５０が取り付けられている。収納装置５０は、収納棚２と、水平レール３と、ガイドピン４とで主体が構成されている。収納棚２は、間仕切り壁１の開口部３５´に取り付けられる外枠２Ａと、外枠２Ａの内部に嵌め込まれる棚本体２Ｂとからなる。
【００１４】
外枠２Ａは、上記２室Ａ，Ｂの双方に開放される２室開放形であり、左右の側板３１と上板３２と底板３３とで四角筒形に形成されている。外枠２Ａの内周面からその全周に亘ってリブ３４が突設され、リブ３４よりも後方における左右の内側面に水平レール３が設置されている。水平レール３は、棚本体２Ｂの嵌め込み方向Ｃに沿って延びている。本例では、水平レール３は上下２個、左右２個の計４本設置されている。
【００１５】
一方、棚本体２Ｂは、上記２室Ａ，Ｂのうちいずれか一室側のみに開放される一室開放形であり、左右の側板３５と上板３６と底板３７と背板３９と前縁材３８とからなり、その内部に棚４０が設置され、棚４０の上下がそれぞれ収納スペース４１となっている。棚本体２Ｂは脱衣室Ｂに向けて取り付けられる場合は、収納スペース４１にバスタオルや着替えなどを収納できるようになり、一方、浴室Ａに向けて取り付けられる場合は、収納スペース４１に石鹸、シャンプー等の浴室用品を収納できるようになっている。
【００１６】
棚本体２Ｂの左右の外側面には、上記水平レール３に着脱可能に支持されるガイドピン４が突設されている。本例では、１本の水平レール３に対してそれぞれ前後２個のガイドピン４が支持されるようになっている。
【００１７】
ここで、水平レール３の両端部３ａ，３ｂはそれぞれガイドピン４の導入部５となっており、これにより、外枠２Ａに対する棚本体２Ｂの嵌め込み方向Ｃを上記浴室Ａ側と脱衣室Ｂ側の２方向から選択できるようにしている。さらに、水平レール３の前後２箇所には凹み状或いは孔状の位置決め凹所６が形成されており、棚本体２Ｂに設けられる各ガイドピン４は、図２（ａ）に示すように、先端丸み形状に形成されると共に、ガイドピン４を位置決め凹所６に向かってバネ付勢するスプリング７を備えており、各ガイドピン４がスプリング７のバネ力により各位置決め凹所６内にそれぞれ弾入することで棚本体２Ｂを外枠２Ａに対して位置決めできるようになっている。
【００１８】
また、上記棚本体２Ｂの前縁材３８の背後には止水パッキン８が設けられ、外枠２Ａ内に棚本体２Ｂを嵌め込んだ状態で止水パッキン８が前縁材３８と棚本体２Ｂのリブ３４とで挟圧されることで、両者２Ｂ，２Ａ間の隙間が塞がれて、浴室Ａ内の湿気が脱衣室Ｂに漏出するのを防ぐようにしている。
【００１９】
しかして、間仕切り壁１に取り付けられた２室開放形の外枠２Ａに対して、一室開放形の棚本体２Ｂを浴室Ａ側と脱衣室Ｂ側のいずれか一方から嵌め込む。このとき、１本の水平レール３ごとに前後２個のガイドピン４がそれぞれ摺動していく。そして前方のガイドピン４が水平レール３の手前の位置決め凹所６にさしかかるとスプリング７のバネ力でガイドピン４の先部が手前の位置決め凹所６に弾入するが、ガイドピン４の先端は丸み形状であるので、棚本体２Ｂを押し込む力によって手前の位置決め凹所６から抜け出て、水平レール３の奥の別の位置決め凹所６に弾入するようになり、この段階で、後方のガイドピン４が水平レール３の手前の位置決め凹所６に弾入する（図２（ｂ）の状態）。これにより、１本の水平レール３の前後２箇所で２個のガイドピン４がそれぞれ位置決めされることで、外枠２Ａに対して棚本体２Ｂが容易にしかも確実に保持されるようになる。従って、ビスレスで外枠２Ａに対する棚本体２Ｂの固定が可能となり、しかも、外枠２Ａに対する棚本体２Ｂの嵌め込み方向Ｃを、浴室Ａと脱衣室Ｂの２方向から選択できるので、１種類の外枠２Ａと棚本体２Ｂとからなる収納棚２を共通部品にして浴室Ａ用と脱衣室Ｂ用の両方に使用可能となるので、ユーザーの希望に容易に対応できると共に、外枠２Ａに対する棚本体２Ｂの組み込み作業に手間がかからず、施工性がきわめて良くなる。
【００２０】
また、施工後に棚本体２Ｂを手前に強く引き出すだけで、ガイドピン４が位置決め凹所６から抜け出ることができるので、棚本体２Ｂを外枠２Ａから簡単に取り外すことができ、従って、浴室Ａ用から脱衣室Ｂ用に付け替えたり、逆に脱衣室Ｂ用から浴室Ａ用に付け替えることができる利点もある。
【００２１】
また本例では、棚本体２Ｂの前枠材３８の背面側にその全周に亘って止水パッキン８を配置し、棚本体２Ｂを外枠２Ａ内に嵌め込んだときに、止水パッキン８が棚本体２Ｂの前枠１３と外枠２Ａのリブ３４との間で挟圧されることで隙間が完全に閉鎖された状態となる。従って、棚本体２Ｂの取り付け作業だけでよく、シール作業を別途行なう必要がないので、施工性が一層向上する利点もある。
【００２２】
本発明の他の実施形態を図３〜図７に示す。本例では、図５に示すように、間仕切り壁１は出入口９の側方に設けられ、間仕切り壁１に組み込まれる上記外枠２Ａは出入口９に設けられるドア枠１０と隣接して配設されると共に、ドア枠１０の縦枠１０ａとこれと対向する外枠２Ａの縦枠材２ａとを一体状に形成されている。本例では、外枠２Ａの上下寸法をドア枠１０の上下寸法の略半分とし且つドア枠１０の上半部に隣接して外枠２Ａを設置している。なお、外枠２Ａの縦枠材２ａとドア枠１０の縦枠１０ａとは略同じ奥行き寸法とされる。図５中の４３は把手である。なお、水平レール、ガイドピン等の他の構成は図１の実施形態と同様であり、対応する部位には同一符号を付して詳細な説明は省略する。
【００２３】
本例のドア枠１０はアルミ製で、図６に示すように、左右一対の縦枠１０ａと、上枠１０ｂと、下枠１０ｃとが方形状に枠組みして構成されている。左右一対の縦枠１０ａは略左右対称とされ、内枠１１と外枠１２と前枠１３と後枠１４とからなる矩形枠１０ａ１と、内枠１１と連なり矩形枠１０ａ１よりも脱衣室Ｂ側に延びたＬ形片１７付き延出部１０ａ２とが一体形成されている。矩形枠１０ａ１の外枠１２にはビス孔１６が開口し、内枠１１にはビス孔１６と対応する位置にビス挿入孔１５が開口している。
【００２４】
一方、収納装置５０の外枠２Ａは、図６に示すように、左右一対の縦枠材２ａと、上枠材２ｂと、下枠材２ｃとが方形状に枠組みして構成されている。左右一対の縦枠材２ａは、図４に示すように、左右対称に形成され、内枠材１８と外枠材１９と前枠材２０と後枠材２１とからなる矩形枠部２ａ１と、外枠材１９と連なり矩形枠１０ａ１よりも脱衣室Ｂ側に延びたＬ形片２５付き延出片２ａ２とが一体形成されている。矩形枠部２ａ１の外方には、浴室Ａ側から脱衣室Ｂ側に向けて、コ字形片２２とビス止め部２３と段差状突片２４とがこの順に突設されている。なお図４中の５０は収納部とならない裏側を塞ぐための化粧板である。
【００２５】
ここで、脱衣室Ｂ側から見て左側の外枠２Ａの縦枠材２ａは、図６に示すように、平面視略Ｓ字形のＳ形連結部材４４を介して、浴室Ａ内の壁パネル４５の側端部に連結されている。壁パネル４５は内装パネル４５ａと外装パネル４５ｂとの間に断熱材４５ｃが介在されている。Ｓ形連結部材４４の一端は例えば、内装パネル４５ａ側に設けた凸部４９にビス２６にて固着され、Ｓ形連結部材４４の他端は外枠２Ａの段差状突片２４にビス２７にて固着されている。
【００２６】
一方、外枠２Ａの右側の縦枠材２ａは、ドア枠１０の左側の縦枠１０ａにビス２８にて固着されている。つまり、ドア枠１０の矩形枠１０ａ１を外枠２Ａの縦枠１０ａに突設したコ字形片２２と段差状突片２４とに突き当てて位置決めした状態で、ビス２８をドア枠１０側のビス挿入孔１５からビス孔１６を貫通して外枠２Ａ側のビス止め部２３にねじ込む。なおビス挿入孔１５はキャップ２９で閉鎖される。さらに、ドア枠１０側のＬ形片１７と縦枠１０ａ側のＬ形片２５とを平面視π字形の連結金具３０を介して互いに連結固定する。これにより互いに対向するドア枠１０の縦枠１０ａと外枠２Ａの縦枠材２ａとを固着一体化することができる。なお、外枠２Ａの上枠材２ｂ及び下枠材２ｃは、間仕切り壁１の開口部３５´の上下両端面にそれぞれシール状態で取り付けられる。
【００２７】
ここで、図６は棚本体２Ｂを浴室Ａ側から嵌め込んだ使用態様を示し、図７は棚本体２Ｂを脱衣室Ｂ側から嵌め込んだ使用態様を示している。なお図６、図７の例では、間仕切り壁における収納棚２よりも脱衣室Ｂ側の開口部位には額縁材４６が取り付けられている。なお図中の４７はドア枠１０の額縁である。
【００２８】
ちなみに、出入口９の側方に設けられる間仕切り壁１には、ドア枠１０に隣接した位置はデッドスペースであり、この場所に収納装置５０を取り付けることで、ドア横の有効利用が図られる。しかも、収納装置５０を浴室Ａ側と脱衣室Ｂ側に使い分けて設置できるので、使い勝手が向上すると共に、外枠２Ａとドア枠１０とが外観上連続した一体感が得られるので、外観向上を図ることができる。そのうえ、図６のように棚本体２Ｂを浴室Ａ側から嵌め込んだ仕様においては、脱衣室Ｂ側に額縁材４６で囲まれたスペース４８が存在するので、このスペース４８を脱衣室用収納スペースとして使用できる利点もある。
【００２９】
本発明に係る収納装置５０は、浴室Ａと脱衣室Ｂとを仕切る間仕切り壁１に限らず、他の間仕切り壁（例えば、台所と居間を仕切る間仕切り壁等）にも広く適用可能であることはいうまでもない。
【図面の簡単な説明】
【００３０】
【図１】本発明の一実施形態に用いる収納装置の分解斜視図である。
【図２】（ａ）は同上のガイドピンが水平レールに沿って摺動する場合の説明図、（ｂ）は同上のガイドピンがスプリングによって水平レールの位置決め凹所に弾入した状態の説明図である。
【図３】本発明の他の実施形態に用いる収納装置の分解平面図である。
【図４】同上の収納装置の組み立て状態の平面図である。
【図５】同上の収納装置がドア枠に隣接して配設される場合の正面図である。
【図６】図５のＤ―Ｄ線断面図であり、同上の棚本体を浴室側から嵌め込んだ状態の説明図である。
【図７】同上の棚本体を脱衣室側から嵌め込んだ状態の説明図である。
【符号の説明】
【００３１】
１  間仕切り壁
２  収納棚
２Ａ  外枠
２Ｂ  棚本体
２ａ  縦枠材
３  水平レール
３ａ，３ｂ  両端部
４  ガイドピン
５  導入部
６  位置決め凹所
７  スプリング
８  止水パッキン
９  出入口
１０  ドア枠
１０ａ  縦枠
５０  収納装置
Ａ  浴室
Ｂ  脱衣室
Ｃ  嵌め込み方向
【図１】
2007224621.tif 000003
【図２】
2007224621.tif 000004
【図３】
2007224621.tif 000005
【図４】
2007224621.tif 000006
【図５】
2007224621.tif 000007
【図６】
2007224621.tif 000008
【図７】
2007224621.tif 000009